(57)【要約】【課題】光学素子と対物レンズ駆動装置とが上下方向で重なるように配置される場合に、磁気駆動回路も組み込んだ対物レンズ駆動装置全体の傾き調整を行っても、光学素子と対物レンズ駆動装置との干渉を防止可能な光ヘッド装置、およびその製造方法を提供すること。【解決手段】光ヘッド装置を製造する際、対物レンズ駆動装置９を装置フレームの凹部に配置した状態で傾角を調整した際、ヨーク９５の前側外ヨーク９５２とコリメートレンズ５６とが干渉する前に、突部９９１、９９２のうちの一方が装置フレーム２と干渉するので、ヨーク９５の前側外ヨーク９５２とコリメートレンズ５６との干渉に起因するコリメートレンズ５６の光軸ずれを防止することができる。【選択図】図５
2008004140.tif 000002
【特許請求の範囲】
【請求項１】
発光素子と、対物レンズをトラッキング方向および／またはフォーカシング方向に駆動する対物レンズ駆動装置と、前記発光素子からの出射光を前記対物レンズに導く光学系とが装置フレームに搭載された光ヘッド装置において、
前記対物レンズの光軸方向を上下方向としたとき、
前記装置フレームは、前記対物レンズ駆動装置を配置する凹部を備えるとともに、当該対物レンズ駆動装置と上下方向で重なる部分を備え、
前記光学系は、前記凹部内の内周壁から内側に突出する位置に固定されて前記対物レンズ駆動装置の一部と上下方向で重なる光学素子を含み、
前記光学素子と前記対物レンズ駆動装置とが上下方向で重なる部分のうち、離間距離が最短の第１の重なり部分での離間距離が、前記装置フレームと前記対物レンズ駆動装置とが上下方向で重なる部分のうち、離間距離が最短の第２の重なり部分での離間距離よりも長いことを特徴とする光ヘッド装置。
【請求項２】
請求項１において、
前記第２の重なり部分は、前記第１の重なり部分の近傍に位置していることを特徴とする光ヘッド装置。
【請求項３】
請求項１または２において、
前記対物レンズ駆動装置で前記第１の重なり部分および前記第２の重なり部分を構成する部分は、前記対物レンズを駆動するための磁気駆動機構に用いられたヨークであることを特徴とする光ヘッド装置。
【請求項４】
請求項３において、
前記ヨークは、一部が前記光学素子の上方に位置して前記第１の重なり部分を構成し、他の一部が前記凹部の周りで前記装置フレームの上面に上下方向に重なり位置まで光軸方向に直交する左右両側の各々に突出する突部を形成しており、当該突部が前記第２の重なり部分を構成していることを特徴とする光ヘッド装置。
【請求項５】
発光素子と、対物レンズをトラッキング方向および／またはフォーカシング方向に駆動する対物レンズ駆動装置と、前記発光素子からの出射光を前記対物レンズに導く光学系とが装置フレームに搭載され、前記装置フレームには前記対物レンズ駆動装置を配置する凹部が形成されているとともに、当該対物レンズ駆動装置と上下方向で重なる部分が形成され、前記光学系には、前記凹部内の内周壁から内側に突出する位置に固定されて前記対物レンズ駆動装置の一部と上下方向で重なる光学素子が含まれている光ヘッド装置の製造方法において、
前記凹部に前記対物レンズ駆動装置を配置した際、前記光学素子と前記対物レンズ駆動装置とが上下方向で重なる部分のうち、離間距離が最短の第１の重なり部分での離間距離を、前記装置フレームと前記対物レンズ駆動装置とが上下方向で重なる部分のうち、離間距離が最短の第２の重なり部分での離間距離よりも長く設定しておき、
前記光学素子を含む前記光学系を前記装置フレームに固定した後、
前記対物レンズ駆動装置を前記凹部に配置するとともに、当該対物レンズ駆動装置の傾きを調整した後、当該対物レンズ駆動装置を前記凹部内に固定することを特徴とする光ヘッド装置の製造方法。
【発明の詳細な説明】
【技術分野】
【０００１】
本発明は、対物レンズをトラッキング方向および／またはフォーカシング方向に駆動する対物レンズ駆動装置が装置フレーム上に搭載された光ヘッド装置、およびその製造方法に関するものである。
【背景技術】
【０００２】
ＣＤやＤＶＤなどの光記録ディスク（光記録媒体）の再生、記録に用いられる光ヘッド装置では、発光素子と、対物レンズをトラッキング方向および／またはフォーカシング方向に駆動する対物レンズ駆動装置と、発光素子からの出射光を対物レンズに導く光学系とが装置フレームに搭載されている。このような光ヘッド装置において、対物レンズから出射された光が傾いていると、コマ収差が大きくなる。従って、対物レンズ駆動装置については、装置フレーム上での傾きを調整した後、装置フレーム上で固定する必要がある。
【０００３】
このような調整を行うにあたって、冶具などで対物レンズ駆動装置を傾けて傾角を調整した後、固定する方法が提案されている。すなわち、予め基台に磁気回路を固定して可動部の傾角調整を行う（例えば、特許文献１参照）。
【０００４】
このような方法によれば、光ヘッド装置内に傾角調整のための機構を設ける必要がない分、光ヘッド装置の小型化や薄型化に適している。
【特許文献１】特開２００１−１４６９９号公報
【発明の開示】
【発明が解決しようとする課題】
【０００５】
しかしながら、特許文献１による方法の場合、磁気回路とコイルとを分離しているため、対物レンズ駆動装置を装置フレーム上で構成し終えた段階ではじめてその特性が決定されるので、対物レンズ駆動装置に不具合があった場合、光ヘッド装置全体が不具合品になってしまう。
【０００６】
ここで、本願発明者は、磁気駆動回路も組み込んだ対物レンズ駆動装置の状態で傾角調整を行うことを提案するものであり、このような方法によれば、対物レンズ駆動装置を装置フレームに搭載する前に対物レンズ駆動装置の特性を把握できる。
【０００７】
しかしながら、光ヘッド装置を小型化、薄型化するには、コリメートレンズなどを対物レンズ駆動装置のヨークなどと上下方向で重なる位置に配置せざるを得ない場合があり、このような構成を採用した場合に、磁気駆動回路も組み込んだ対物レンズ駆動装置全体の傾角調整を行う方法を採用すると、すでに光軸調整済みの状態で固定されたコリメートレンズと対物レンズ駆動装置とが干渉し、コリメートレンズの光軸がずれるという問題点がある。
【０００８】
以上の問題点に鑑みて、本発明の課題は、光学素子と対物レンズ駆動装置とが上下方向で重なるように配置される場合に、磁気駆動回路も組み込んだ対物レンズ駆動装置全体の傾き調整を行っても、光学素子と対物レンズ駆動装置との干渉を防止可能な光ヘッド装置、およびその製造方法を提供することにある。
【課題を解決するための手段】
【０００９】
上記課題を解決するために、本発明では、発光素子と、対物レンズをトラッキング方向および／またはフォーカシング方向に駆動する対物レンズ駆動装置と、前記発光素子からの出射光を前記対物レンズに導く光学系とが装置フレームに搭載された光ヘッド装置において、前記対物レンズの光軸方向を上下方向としたとき、前記装置フレームは、前記対物レンズ駆動装置を配置する凹部を備えるとともに、当該対物レンズ駆動装置と上下方向で重なる部分を備え、前記光学系は、前記凹部内の内周壁から内側に突出する位置に固定されて前記対物レンズ駆動装置の一部と上下方向で重なる光学素子を含み、前記光学素子と前記対物レンズ駆動装置とが上下方向で重なる部分のうち、離間距離が最短の第１の重なり部分での離間距離が、前記装置フレームと前記対物レンズ駆動装置とが上下方向で重なる部分のうち、離間距離が最短の第２の重なり部分での離間距離よりも長いことを特徴とする。
【００１０】
本発明では、発光素子と、対物レンズをトラッキング方向および／またはフォーカシング方向に駆動する対物レンズ駆動装置と、前記発光素子からの出射光を前記対物レンズに導く光学系とが装置フレームに搭載され、前記装置フレームには前記対物レンズ駆動装置を配置する凹部が形成されているとともに、当該対物レンズ駆動装置と上下方向で重なる部分が形成され、前記光学系には、前記凹部内の内周壁から内側に突出する位置に固定されて前記対物レンズ駆動装置の一部と上下方向で重なる光学素子が含まれている光ヘッド装置の製造方法において、前記凹部に前記対物レンズ駆動装置を配置した際、前記光学素子と前記対物レンズ駆動装置とが上下方向で重なる部分のうち、離間距離が最短の第１の重なり部分での離間距離を、前記装置フレームと前記対物レンズ駆動装置とが上下方向で重なる部分のうち、離間距離が最短の第２の重なり部分での離間距離よりも長く設定しておき、前記光学素子を含む前記光学系を前記装置フレームに固定した後、前記対物レンズ駆動装置を前記凹部に配置するとともに、当該対物レンズ駆動装置の傾きを調整した後、当該対物レンズ駆動装置を前記凹部内に固定することを特徴とする。
【００１１】
本発明では、前記光学素子と前記対物レンズ駆動装置とが上下方向で重なる部分のうち、離間距離が最短の第１の重なり部分での離間距離が、前記装置フレームと前記対物レンズ駆動装置とが上下方向で重なる部分のうち、離間距離が最短の第２の重なり部分での離間距離よりも長い。このため、前記光学素子を含む前記光学系を前記装置フレームに固定した後、前記対物レンズ駆動装置の傾きを前記凹部内で調整する際、対物レンズ駆動装置は、光学素子と干渉する前に装置フレームと干渉する。
【００１２】
本発明において、前記第２の重なり部分は、前記第１の重なり部分の近傍に位置していることが好ましい。
【００１３】
本発明において、前記対物レンズ駆動装置で前記第１の重なり部分および前記第２の重なり部分を構成する部分は、例えば、前記対物レンズを駆動するための磁気駆動機構に用いられたヨークである。
【００１４】
本発明において、前記ヨークは、例えば、一部が前記光学素子の上方に位置して前記第１の重なり部分を構成し、他の一部が前記凹部の周りで前記装置フレームの上面に上下方向に重なり位置まで光軸方向に直交する左右両側の各々に突出する突部を形成しており、当該突部が前記第２の重なり部分を構成している。
【発明の効果】
【００１５】
本発明では、光学素子を含む光学系を装置フレームに固定した後、対物レンズ駆動装置の傾きを凹部内で調整する際、対物レンズ駆動装置は、光学素子と干渉する前に装置フレームと干渉する。このため、光学素子と対物レンズ駆動装置とが上下方向で重なるように配置される場合に、磁気駆動回路も組み込んだ対物レンズ駆動装置全体の傾角調整を行っても、光学素子と対物レンズ駆動装置との干渉を防止することができ、対物レンズ駆動装置との干渉に起因する光軸ずれなどを回避することができる。
【発明を実施するための最良の形態】
【００１６】
以下に図面を参照して、本発明を適用した光ヘッド装置について説明する。
【００１７】
［実施の形態１］
（全体構成）
図１および図２は、本発明を適用した光ヘッド装置を対物レンズから光が出射される側からみた斜視図、およびこの光ヘッド装置から本体カバーやアクチュエータカバーを外した状態の斜視図である。図３および図４は、図１に示す光ヘッド装置の分解斜視図、および光ヘッド装置から金属カバー、アクチュエータカバー、対物レンズ駆動装置を外した状態の斜視図である。
【００１８】
図１〜図４に示す本形態の光ヘッド装置１は、ＣＤおよびＤＶＤ等の光記録媒体に対する情報の再生または／および記録を行うものである。光ヘッド装置１は、マグネシウムや亜鉛などのダイカスト品からなる金属製の装置フレーム２を有しており、この装置フレーム２の両端の各々には、ディスク駆動装置のガイド軸や送りねじ軸が係合する第１の軸受２１および第２の軸受２２が形成されている。装置フレーム２の一方側の側面は、ディスク駆動機構のスピンドルモータ（図示せず）に接近した際の干渉を防止するために円弧状に湾曲している。
【００１９】
装置フレーム２の上面側では略中央に対物レンズ９１が位置している。対物レンズ９１に対して第１の軸受２１が位置する側には金属製の本体カバー８０が被せられている。本体カバー８０は、装置フレーム２の上面を覆う上板部８１と、この上板部８１の一方の側端縁から下方に屈曲して装置フレーム２の側面に形成されている突起２８に係合する側板部８２とを有しており、上面部に形成された小穴８３には、装置フレーム２から上方に突出した位置決め突起２９が嵌っている。
【００２０】
本形態の光ヘッド装置１は、波長が６５０ｎｍ帯の第１のレーザ光、および波長が７８０ｎｍ帯の第２のレーザ光を用いてＤＶＤ系ディスクおよびＣＤ系ディスクに対する情報の記録、再生が可能な２波長光ヘッド装置であり、装置フレーム２上には、波長が６５０ｎｍ帯の第１のレーザ光を出射するＡｌＧａＩｎＰ系の半導体レーザ（レーザダイオード）を備えた第１のレーザ光源装置３０と、波長が７８０ｎｍ帯の第２のレーザ光を出射するＡｌＧａＡｓ系の半導体レーザ（レーザダイオード）を備えた第２のレーザ光源装置４０とが搭載されている。ここで、第１のレーザ光および第２のレーザ光は、レーザ光源装置３０、４０から光記録ディスクに向かう光路に配置された複数の光学素子からなる光学系を介して光記録ディスクであるＤＶＤ系ディスクあるいはＣＤ系ディスクに導かれ、この光学系を構成する光学素子も装置フレーム２上に搭載されている。また、光記録ディスクからの戻り光も、光学系を介して共通の信号検出用受光素子５０に導かれ、かかる戻り光に対する光路を規定する光学素子、および信号検出用受光素子５０も装置フレーム２に搭載されている。
【００２１】
本形態の光ヘッド装置１において、光学系には、第１のレーザ光源装置３０から出射されたレーザ光を透過する一方、第２のレーザ光源装置４０から出射されたレーザ光を反射する光路合成用の偏光プリズム５２と、この偏光プリズム５２から出射されたレーザ光を部分反射するハーフミラー５３と、ハーフミラー５３で反射されたレーザ光に対する１／４波長板５５と、この１／４波長板５５を透過してきたレーザ光を平行光にするコリメートレンズ５６と、この平行光を光記録ディスクに向けて立ち上げる立ち上げミラー５７と、立ち上げミラー５７からのレーザ光を光記録ディスクの記録面に収束させる対物レンズ９１とが含まれている。また、光学系には、光記録ディスクの記録面で反射された戻り光が立ち上げミラー５７、コリメートレンズ５６、１／４波長板５５、ハーフミラー５３を介して信号検出用受光素子５０に導かれる際に非点収差を付与するためのセンサーレンズ（図示せず）も含まれている。偏光プリズム５２からみてハーフミラー５３の背後にはモニター用受光素子５１が配置されている。なお、第１のレーザ光源装置３０と偏光プリズム５２との間には、１／２波長板が一体に構成された回折素子５４が配置され、第２のレーザ光源装置４０と偏光プリズム５２との間には、回折素子５８およびリレーレンズ５９が配置されている。
【００２２】
対物レンズ９１は、対物レンズ駆動装置９によってトラッキング方向およびフォーカシング方向の位置がサーボ制御されるようになっており、このような対物レンズ駆動装置９も装置フレーム２に搭載されている。本形態では、対物レンズ駆動装置９としてワイヤサスペンション方式のものを用いており、かかる対物レンズ駆動装置９の説明は後述する。なお、対物レンズ駆動装置９は、対物レンズ９１のジッタ方向の傾きを調整するチルト制御も可能である。なお、対物レンズ９１の周りは、矩形枠状のアクチュエータカバー８５で覆われている。
【００２３】
装置フレーム２の上面には、可撓性基板７０が重ねて配置されており、この可撓性基板７０の上に本体カバー８０およびアクチュエータカバー８５が重ねて配置されている。可撓性基板７０には駆動用ＩＣ（図示せず）が形成されているとともに、可撓性基板７０の端部などを利用して、第１のレーザ光源装置３０、第２のレーザ光源装置４０、信号検出用受光素子５０、およびモニター用受光素子５１への電気的な接続が行われている。
【００２４】
（対物レンズ駆動装置およびその周辺の構成）
図５は、図１に示す光ヘッド装置でのヨークとコリメートレンズ（本形態における「光学素子」）との重なり部分、およびヨークと装置フレームとの重なり部分を示す説明図である。
【００２５】
図１〜図４に示すように、本形態の光ヘッド装置１において、装置フレーム２には、上方に向けて開口する凹部２５が形成されており、この凹部２５内に対物レンズ駆動装置９が配置される。
【００２６】
図４に示すように、凹部２５は、光ヘッド装置１のタンジェンシャル方向（装置フレーム２において軸受２１、２２が形成されている前後方向）で対向する一対の前壁２５１および後壁２５２と、トラッキング方向（左右方向）で対向する一対の側壁２５３、２５４で囲まれており、凹部２５において四方の壁面から離間した位置には、底部２５０から前壁２５１および後壁２５２に対向する突起２６が起立している。
【００２７】
突起２６の前面には接着剤注入溝２３１が左右一対で形成されている。また、側壁２５３、２５４のうち、後壁２５２に近い部分にも接着剤注入溝２３２が形成されており、前壁２５１にも接着剤注入溝２３３が左右一対で形成されている。
【００２８】
ここで、凹部２５の略中央には立ち上げミラー５７が接着固定されている。また、前壁２５１には光路を確保する開口（図示せず）が形成されており、前壁２５１には、開口を覆うようにコリメートレンズ５６が接着固定されている。このため、コリメートレンズ５６は、凹部２５内の前壁２５１から凹部２５の内側に突出する状態にある。
【００２９】
図３に示すように、対物レンズ駆動装置９は、対物レンズ９１を保持するレンズホルダ９２と、このレンズホルダ９２を複数本のワイヤ９３でトラッキング方向およびフォーカシング方向に移動可能に支持しているホルダ支持部９４と、装置フレーム２に固定されたヨーク９５とを備えている。また、対物レンズ駆動装置９は、レンズホルダ９２に取り付けられた駆動コイル９７と、ヨーク９５に取り付けられた駆動マグネット９８とにより構成された磁気駆動回路を備えている。なお、ホルダ支持部９４にはゲルポットが内蔵されているとともに、背面には、ワイヤ９３に対する給電用の配線基板９０が貼られている。駆動コイル９７には、フォーカシング駆動コイル、トラッキング駆動コイル、チルト駆動コイルが含まれており、駆動マグネット９８には、レンズホルダ９２の前面に対向する左右一対の永久磁石と、レンズホルダ９２の後面に対向する左右一対の永久磁石とが含まれている。このような対物レンズ駆動装置９では、ワイヤ９３を介して駆動コイル９７に通電するとともに、通電を制御することにより、レンズホルダ９２に保持された対物レンズ９１を光記録ディスクに対してトラッキング方向およびフォーカシング方向に駆動する。なお、対物レンズ駆動装置９は、対物レンズ９１のジッタ方向の傾きを調整するチルト制御も可能である。
【００３０】
図５に示すように、本形態の対物レンズ駆動装置９で用いたヨーク９５は、プレス加工が施された１枚の磁性板からなり、底板部９５１と、底板部９５１の前端側で起立する前側外ヨーク９５２と、底板部９５１の後端側で起立する後側外ヨーク９５３と、底板部９５１の左右端で起立する一対の内ヨーク９５４、９５５とを備えている。また、ヨーク９５では、後側外ヨーク９５３に対して後方で対向する対向板部９５７が構成されており、この対向板部９５７は、連結板部９５８によって後側外ヨーク９５３に繋がっている。ここで、対向板部９５７は、レンズホルダ９２をワイヤ９３を介して支持するホルダ支持部９４に固定されている。このため、本形態の対物レンズ駆動装置９は、対物レンズ９１および駆動コイル９７を保持するレンズホルダ９２がワイヤ９３を介してホルダ支持部９４に支持されている一方、ヨーク９５もホルダ支持部９４に連結されているので、対物レンズ駆動装置９全体が１つのアセンブリとして構成されている。
【００３１】
このように構成した対物レンズ駆動装置９において、前側外ヨーク９５２は、コリメートレンズ５６（光学素子）を避けるように複数の円弧からなる切り欠き９５０が形成されており、アーチ形状になっている。ここで、対物レンズ駆動装置９を凹部２５に配置した状態で、ヨーク９５の前側外ヨーク９５２は、コリメートレンズ５６と上下方向（対物レンズ９１の光軸方向）に重なっており、前側外ヨーク９５２とコリメートレンズ５６との重なり部分のうち、離間距離が最短の第１の重なり部分１１での離間距離は、寸法Ｌ１になっている。
【００３２】
また、ヨーク９５の前側外ヨーク９５２では、左右両側に向けて、一対の突部９９１、９９２が形成されており、装置フレーム２の上面では、一対の突部９９１、９９２のうち、突部９９２が上下方向で重なる部分が、装置フレーム２の上面で最も高い領域よりも一段低い段部２７２になっている。また、装置フレーム２の上面では、突部９９１が上下方向で重なる部分が、装置フレーム２の上面で最も高い領域よりも底部が一段低い穴２７１になっている。ここで、ヨーク９５も含めて、対物レンズ駆動装置９が装置フレーム２と重なる部分のうち、離間距離が最短の第２の重なり部分１２は、突部９９１と穴２７１の底部との重なり部分、および突部９９２と段部２７２である。なお、対物レンズ駆動装置９については、矢印Ａで示すように、装置フレーム２上での傾きを調整した後、装置フレーム２に固定される。このため、その調整結果によって、離間距離が最短の第２の重なり部分１２は、突部９９２と穴２７１の底部との重なり部分で構成される場合、突部９９２と段部２７２との重なり部分で構成される場合、さらにはこれらの重なり部分の双方で構成される場合がある。
【００３３】
これらいずれの場合でも、第２の重なり部分１２での離間距離を寸法Ｌ２とすると、第１の重なり部分１１での離間距離（寸法Ｌ１）と、第２の重なり部分１２での離間距離（寸法Ｌ２）との間には、以下の条件
寸法Ｌ１＞寸法Ｌ２
が成り立つ。すなわち、第１の重なり部分１１での離間距離（寸法Ｌ１）は、常に、第２の重なり部分１２での離間距離（寸法Ｌ２）よりも長い。それ故、以下の方法で光ヘッド装置１を組み立てる際、ヨーク９５の前側外ヨーク９５２とコリメートレンズ５６とが上下方向で重なっている場合に、対物レンズ駆動装置９の傾角を調整しても、ヨーク９５の前側外ヨーク９５２とコリメートレンズ５６とが干渉する前に、一対の突部９９１、９９２のうちの一方が装置フレーム２と干渉することになる。
【００３４】
（光ヘッド装置の製造方法）
本形態の光ヘッド装置１を製造するにあたっては、まず、図４に示すように、偏光プリズム５２、ハーフミラー５３、１／４波長板５５、コリメートレンズ５６、立ち上げミラー５７などの光学系を、光軸調整を行った状態で装置フレーム２に固定する。
【００３５】
次に、図２に示すように、対物レンズ駆動装置９全体が１つのアセンブリとして構成した状態で、対物レンズ駆動装置９のホルダ支持部９４をロボットハンドや冶具を用いて支持した状態で装置フレーム２の凹部２５内に配置する。
【００３６】
次に、第１のレーザ光源装置３０あるいは第２のレーザ光源装置４０からレーザ光を出するとともに、対物レンズ９１を介して出射された光あるいは信号検出用受光素子５０での検出結果を観察しながら、ロボットハンドや冶具を動かし、対物レンズ駆動装置９のホルダ支持部９４の位置を調整する。さらに、ロボットハンドや冶具を傾け、ホルダ支持部９４を矢印Ａで示す方向に傾け、対物レンズ９１の傾角（対物レンズ駆動装置９の傾角）を調整する。
【００３７】
次に、図４に示すように、装置フレーム２の突起２６の前面、側壁２５３、２５４、および前壁２５１に形成されている各接着剤注入溝２３１、２３２、２３３に接着剤を注入し、凹部２５内で対物レンズ駆動装置９を固定する。その結果、対物レンズ駆動装置９は、装置フレーム２からわずかに浮いた状態で固定される。
【００３８】
（本形態の主な効果）
このような方法で製造した際、対物レンズ駆動装置９は、全体が１つのアセンブリとして構成された状態で傾角調整を行うので、対物レンズ駆動装置９を装置フレーム２に搭載する前に対物レンズ駆動装置９の特性を把握できる。
【００３９】
また、対物レンズ駆動装置９を凹部２５に配置した状態で、ヨーク９５の前側外ヨーク９５２とコリメートレンズ５６とが重なって第１の重なり部分１１を形成する一方、ヨーク９５の前側外ヨーク９５２に形成した突部９９１、９９２が装置フレーム２に重なって第２の重なり部分１２を形成する。ここで、第１の重なり部分１１での離間距離（寸法Ｌ１）は、常に、第２の重なり部分１２での離間距離（寸法Ｌ２）よりも長いので、対物レンズ駆動装置９の傾角を調整した際、ヨーク９５の前側外ヨーク９５２とコリメートレンズ５６とが干渉する前に、突部９９１、９９２のうちの一方が装置フレーム２と干渉する。それ故、ヨーク９５の前側外ヨーク９５２とコリメートレンズ５６との干渉に起因するコリメートレンズ５６の光軸ずれを防止することができる。
【００４０】
さらに、本形態では、ヨーク９５の前側外ヨーク９５２に形成した突部９９１、９９２が装置フレーム２に重なるが、装置フレーム２の上面において、突部９９１、９９２が重なる穴２７１の底部や段部２７２は、装置フレーム２の上面で最も高い位置から一段、低くなっているので、ヨーク９５の突部９９１、９９２が装置フレーム２の上面で第２の重なり部分１２を構成する場合でも、光ヘッド装置１の薄型化を妨げることはない。
【００４１】
［その他の実施の形態］
上記形態では、装置フレーム２と対物レンズ駆動装置９とが第２の重なり部分１２を構成する部分として、装置フレーム２の上面を利用したが、装置フレーム２に形成した凹部２５の底部２５０に突部を形成し、この突部とヨークの底面との間で第２の重なり部分が構成されるようにしてもよい。また、上記形態では、凹部２５内で第１の重なり部分１１を構成する光学素子としてコリメートレンズ５６を例に説明したが、他の光学素子が第１の重なり部分１１を構成する場合に本発明を適用してもよい。
【図面の簡単な説明】
【００４２】
【図１】本発明を適用した光ヘッド装置を対物レンズから光が出射される側からみた斜視図である。
【図２】図１に示す光ヘッド装置から本体カバーやアクチュエータカバーを外した状態の斜視図である。
【図３】図１に示す光ヘッド装置の分解斜視図である。
【図４】図１に示す光ヘッド装置から金属カバーや対物レンズ駆動装置を外した状態の斜視図である。
【図５】図１に示す光ヘッド装置でのヨークとコリメートレンズとの重なり部分、およびヨークと装置フレームとの重なり部分を示す説明図である。
【符号の説明】
【００４３】
１  光ヘッド装置
２  装置フレーム
９  対物レンズ駆動装置
１１  第１の重なり部分
１２  第２の重なり部分
２５  凹部
３０  第１のレーザ光源装置
４０  第２のレーザ光源装置
５６  コリメートレンズ（光学素子）
９１  対物レンズ
９２  レンズホルダ
９４  ホルダ支持部
９５  ヨーク
２７１  穴
２７２  段部
９９１、９９２  突部
【図１】
2008004140.tif 000003
【図２】
2008004140.tif 000004
【図３】
2008004140.tif 000005
【図４】
2008004140.tif 000006
【図５】
2008004140.tif 000007